(57)【要約】  遮断器のノブの動作ストロークの公差の影響を受けないで、遮断器の動作状態が操作取っ手により精度良く指示できる電気回路開閉操作装置を得る。操作取っ手を接点のＯＦＦからＯＮ方向に回動させてノブを駆動させ遮断器の投入機構のデッドポイントを超えると遮断器の接点が閉じると共に、遮断器の投入機構の駆動力によりリンク機構を介して操作取っ手を駆動して付勢させ、操作取っ手をストッパに押し付けることにより操作取っ手が意匠パネルのＯＮ状態を表示する位置に保持されるようにした。
2009139036.tif 000002
【特許請求の範囲】
【請求項１】
ノブが接点のＯＦＦからＯＮ方向にデッドポイントを超えて動くと接点を閉状態にすると共にノブを動作完了位置まで駆動させる投入機構を有する遮断器、
前記遮断器のノブとリンク機構を介して連結され、回動させてノブを駆動させ前記遮断器を開閉操作する操作取っ手、
前記遮断器の接点がＯＮ状態のときの前記操作取っ手の回動位置で接点のＯＮ状態を表示し、前記遮断器がＯＦＦ状態のときの前記操作取っ手の回動位置で接点のＯＦＦ状態を表示する意匠パネル、
前記操作取っ手が回動し前記操作取っ手が前記意匠パネルのＯＮ状態を表示する位置で前記操作取っ手の回動を阻止するストッパを備え、
前記操作取っ手を接点のＯＦＦからＯＮ方向に回動させてノブを駆動させ前記遮断器の投入機構のデッドポイントを超えると前記遮断器の接点が閉じると共に、前記遮断器の投入機構の駆動力により前記リンク機構を介して前記操作取っ手を駆動して付勢させ、前記操作取っ手を前記ストッパに押し付けることにより前記操作取っ手が前記意匠パネルのＯＮ状態を表示する位置に保持されるようにした電気回路開閉操作装置。
【請求項２】
接点をＯＦＦからＯＮに操作する前記操作取っ手の動作ストロークを、配線用遮断器の接点をＯＦＦからＯＮにするノブの動作ストロークより短く前記遮断器の投入機構のデッドポイントを越えるようにした請求項１記載の電気回路開閉操作装置。
【請求項３】
ノブが接点のＯＮからＯＦＦ方向にデッドポイントを超えて動くと接点を開状態にすると共にノブを動作完了位置まで駆動させる引き外し機構を有する遮断器、
前記遮断器のノブとリンク機構を介して連結され、回動させてノブを駆動させ前記遮断器を開閉操作する操作取っ手、
前記遮断器の接点がＯＮ状態のときの前記操作取っ手の回動位置で接点のＯＮ状態を表示し、前記遮断器がＯＦＦ状態のときの前記操作取っ手の回動位置で接点のＯＦＦ状態を表示する意匠パネル、
前記操作取っ手が回動し前記操作取っ手が前記意匠パネルのＯＦＦ状態を表示する位置又はその近傍で前記操作取っ手の回動を抑制するＯＦＦ位置停止機構を備え、
前記操作取っ手を接点のＯＮからＯＦＦ方向に回動させてノブを駆動させ前記遮断器の引き外し機構のデッドホイントを越えると前記遮断器の接点が開くと共に、前記操作取っ手が前記意匠パネルのＯＦＦ状態を表示する位置又はその近傍に前記ＯＦＦ位置停止機構で停止させるようにした電気回路開閉操作装置。
【請求項４】
ノブが接点のＯＮからＯＦＦ方向にデッドポイントを超えて動くと接点を開状態にすると共にノブを動作完了位置まで駆動させる引き外し機構を有する遮断器、
前記遮断器のノブとリンク機構を介して連結され、回動させてノブを駆動させ前記遮断器を開閉操作する操作取っ手、
前記遮断器の接点がＯＮ状態のときの前記操作取っ手の回動位置で接点のＯＮ状態を表示し、前記遮断器がＯＦＦ状態のときの前記操作取っ手の回動位置で接点のＯＦＦ状態を表示する意匠パネル、
前記操作取っ手が回動し前記操作取っ手が前記意匠パネルのＯＦＦ状態を表示する位置又はその近傍で前記操作取っ手の回動を抑制するＯＦＦ位置停止機構を備え、
前記操作取っ手を接点のＯＮからＯＦＦ方向に回動させてノブを駆動させ前記遮断器の引き外し機構のデッドホイントを越えると前記遮断器の接点が開くと共に、前記操作取っ手が前記意匠パネルのＯＦＦ状態を表示する位置又はその近傍に前記ＯＦＦ位置停止機構で停止させるようにした請求項１記載の電気回路開閉操作装置。
【請求項５】
前記遮断器の接点をＯＮからＯＦＦにするノブの動作ストロークの公差の影響を受けないように、前記遮断器の接点をＯＦＦにするときの引き外し機構による駆動力が、前記遮断器のノブからリンク機構を介して操作取っ手に最後まで加わらないようにし、前記操作取っ手が前記意匠パネルのＯＦＦ状態を表示する位置又はその近傍に前記ＯＦＦ位置停止機構で停止させるようにした請求項３又は請求項４記載の電気回路開閉操作装置。
【発明の詳細な説明】
【技術分野】
【０００１】
この発明は、電気回路開閉操作装置に関し、特に配線用遮断器の開閉用として好適な電気回路開閉操作装置に関するものである。
【背景技術】
【０００２】
ＪＥＭ−１１９５（ＪＥＭ：日本電機工業会規格）には、コントロールセンタの機能ユニットとは、所定の機能を行うために必要な主回路および補助回路の機器を備えたモータコントロールセンタの一回路構成単位と規定されている。この機能ユニット内には、通常、短絡時の電流を安全に遮断する目的で、ＭＣＣＢ（配線用遮断器）が搭載されている。この配線用遮断器の操作を簡便にすると同時に配線用遮断器がＯＮの状態では、機能ユニットを引出せなくするインタロック機能を持たせるために電気回路開閉操作装置がある。【０００３】
特許文献1には、配線用遮断器にハンドル操作装置を取り付けるのに、取付座を設けてこれをネジにより配線用遮断器と一緒に盤パネルに締め付け、次いでこの取付座にハンドル操作装置をネジで締め付けているものが開示されている。【０００４】
コントロールセンタの機能ユニットに設けられる電気回路開閉操作装置（以後、開閉操作装置と略称することがある）は、配線用遮断器のＯＮ、ＯＦＦ、ＲＥＳＥＴ操作を行う機能と、ＯＮ、ＴＲＩＰ、ＯＦＦ、ＲＥＳＥＴの状態を表示する機能を兼ねている。また開閉操作装置は、配線用遮断器のノブと操作取っ手がリンク機構を介して連結されることにより、操作取っ手の操作により配線用遮断器の操作を行い、かつ配線用遮断器のノブの位置に応じて配線用遮断器の動作状態の表示を開閉操作装置の意匠面で行う。【０００５】
開閉操作装置の操作取っ手の動作ストロークは、配線用遮断器のノブの動作ストロークに合わせて設計されるが、配線用遮断器のＯＮ、ＴＲＩＰ、ＯＦＦ、ＲＥＳＥＴ位置は公差を有しているため、開閉操作装置の動作状態の指示位置は配線用遮断器の公差の大きさに応じてズレる問題がある。しかも、個々の配線用遮断器の公差は一様でないため、配線用遮断器の動作状態が同じであっても、複数の機能ユニットが並んだ場合には、開閉操作装置における動作状態の指示位置がばらばらになるため、外観上の統一感を重視する場合には問題となるのみならず、開閉操作装置が本来、ＯＮ表示している場合でもＯＮ表示か否か不明である問題がある。【０００６】
図９および図１０は、従来技術の問題点を具体的に説明する図である。配線用遮断器の接点をＯＦＦからＯＮにするノブの動作ストローク（後述のＣ）公差により、操作取っ手２ｂの指示位置がズレた場合の例を示している。配線用遮断器の接点をＯＦＦからＯＮにするノブのストローク公差がマイナス公差の場合は、図９に示すように、操作取っ手２ｂは設計上のＯＮ表示位置より手前を指示する。ストローク公差がプラス公差の場合は、図１０に示すように、操作取っ手２ｂは設計上のＯＮ表示位置を過ぎた指示となる。このため、機能ユニットが複数台収納されたコントロールセンタでは、配線用遮断器の公差が個々に異なるため、配線用遮断器の動作状態が同じＯＮであっても、操作取っ手２ｂの指示位置は公差の影響により別々となるのみならず、図９に示すように、操作取っ手２ｂの指示がＯＮ表示位置より手前であると、ＯＮ表示の信憑性そのものが疑われる問題がある。【０００７】
【特許文献１】特開平６−５１９１号公報
【特許文献２】特開２００６−３１９８３号公報
【発明の開示】
【発明が解決しようとする課題】
【０００８】
この発明は、前記の問題点を解消するためになされたもので、遮断器のノブの動作ストロークの公差の影響を受けないで、遮断器の動作状態が操作取っ手により精度良く指示できる電気回路開閉操作装置を提供しようとするものである。
【課題を解決するための手段】
【０００９】
この発明の電気回路開閉操作装置は、ノブが接点のＯＦＦからＯＮ方向にデッドポイントを超えて動くと接点を閉状態にすると共にノブを動作完了位置まで駆動させる投入機構を有する遮断器、前記遮断器のノブとリンク機構を介して連結され、回動させてノブを駆動させ前記遮断器を開閉操作する操作取っ手、前記遮断器の接点がＯＮ状態のときの前記操作取っ手の回動位置で接点のＯＮ状態を表示し、前記遮断器がＯＦＦ状態のときの前記操作取っ手の回動位置で接点のＯＦＦ状態を表示する意匠パネル、前記操作取っ手が回動し前記操作取っ手が前記意匠パネルのＯＮ状態を表示する位置で前記操作取っ手の回動を阻止するストッパを備え、前記操作取っ手を接点のＯＦＦからＯＮ方向に回動させてノブを駆動させ前記遮断器の投入機構のデッドポイントを超えると前記遮断器の接点が閉じると共に、前記遮断器の投入機構の駆動力により前記リンク機構を介して前記操作取っ手を駆動して付勢させ、前記操作取っ手を前記ストッパに押し付けることにより前記操作取っ手が前記意匠パネルのＯＮ状態を表示する位置に保持されるようにしたものである。【００１０】
また、この発明の電気回路開閉操作装置は、ノブが接点のＯＮからＯＦＦ方向にデッドポイントを超えて動くと接点を開状態にすると共にノブを動作完了位置まで駆動させる引き外し機構を有する遮断器、前記遮断器のノブとリンク機構を介して連結され、回動させてノブを駆動させ前記遮断器を開閉操作する操作取っ手、前記遮断器の接点がＯＮ状態のときの前記操作取っ手の回動位置で接点のＯＮ状態を表示し、前記遮断器がＯＦＦ状態のときの前記操作取っ手の回動位置で接点のＯＦＦ状態を表示する意匠パネル、前記操作取っ手が回動し前記操作取っ手が前記意匠パネルのＯＦＦ状態を表示する位置又はその近傍で前記操作取っ手の回動を抑制するＯＦＦ位置停止機構を備え、前記操作取っ手を接点のＯＮからＯＦＦ方向に回動させてノブを駆動させ前記遮断器の引き外し機構のデッドホイントを越えると前記遮断器の接点が開くと共に、前記操作取っ手が前記意匠パネルのＯＦＦ状態を表示する位置又はその近傍に前記ＯＦＦ位置停止機構で停止させるようにしたものである。
【発明の効果】
【００１１】
この発明に係る電気回路開閉操作装置によれば、遮断器のノブの動作ストロークの公差の影響を受けないで、遮断器の動作状態が操作取っ手により精度良く指示できる。
【図面の簡単な説明】
【００１２】
【図１】コントロールセンタの機能ユニットを示す正面図である。
【図２】図１の側面図である。
【図３】この発明の実施の形態１における電気回路開閉操作装置を示す図１の部分拡大図である。
【図４】図３の側面図である。
【図５】図３の一部拡大裏面図である。
【図６】実施の形態１における操作取っ手と遮断器のノブの動作ストロークの関係を説明する図である。
【図７】実施の形態２における図１の他の部分拡大図である。
【図８】図７の矢示線での断面図である。
【図９】従来技術の問題点を説明する説明図である。
【図１０】従来技術の問題点を説明する他の説明図である。
【発明を実施するための最良の形態】
【００１３】
実施の形態１．
配線用遮断器は、それのノブ（つまみ）操作を非常にゆっくりと操作した場合に、内部接点でアーク発生等による事故が発生する。このため操作速度に関係なく、ノブが接点のＯＦＦからＯＮ方向にある一定の位置（以降、この位置をデッドポイントという。）まで動くと、ＯＮ動作完了位置までノブが動いていなくても投入機構により素早く接点を閉状態に、逆にＯＮからＯＦＦにある一定の位置（以降、この位置をデッドポイントという。）までノブが動くと、ＯＦＦ動作完了位置までノブが動いていなくても、引き外し機構により素早く接点を開状態にする機構を搭載しているものがあることがよく知られている。このようなものを搭載しているものとしては、例えば、市販されている三菱電機株式会社製  遮断器  型名ＮＦ２５０−ＳＷ，ＮＦ２５０−ＨＷ、特許文献２等がある。【００１４】
この機構が搭載されている配線用遮断器は、デッドポイントを越えた位置でノブに外力が加わらなくとも、内部接点はＯＮ、ＯＦＦの正規位置まで動く。またデッドポイントを越えた位置で外力による駆動力を与えなくても、投入・引き外し機構の動作力により配線用遮断器のノブを動作完了位置まで駆動させるものである。【００１５】
実施の形態１では、図６に示すように、接点をＯＦＦからＯＮに操作する操作取っ手２ｂの動作ストロークＡを、配線用遮断器の接点をＯＦＦからＯＮにするノブ２ｋの公差を見込んだ最小動作ストロークＣより小さく且つ、投入機構のデッドポイントを越えるストロークに設計することにより、操作取っ手２ｂがＯＮ位置６の時には配線用遮断器はＯＮ完了位置７までノブ２ｋが動いていないため、配線用遮断器の投入機構による駆動力が操作取っ手２ｂに加わる。配線用遮断器の投入機構の駆動力が操作取っ手２ｂに加わり続けるために、操作取っ手２ｂが、ＯＮ表示位置（後述）を超えて回動しないように、操作取っ手２ｂにストッパ（後述）を設けることにより、操作取っ手２ｂの指示位置が配線用遮断器の動作ストローク公差の影響を受けずに、ストッパで決めた位置（表示位置）に保持される。【００１６】
なお、図６は実施の形態１における操作取っ手と遮断器のノブの動作ストロークの関係を説明する図である。Ｃは配線用遮断器の接点をＯＦＦからＯＮにするノブ２ｋの動作ストローク（角度）である。Ａは接点をＯＦＦからＯＮに操作する操作取っ手２ｂの動作ストローク（角度）で、操作取っ手２ｂに基因する配線用遮断器のノブ２ｋのストローク（角度）で表している。Ｂは操作取っ手２ｂをＯＦＦ位置より反ＯＮ方向に回動させてＲＥＳＥＴするときの動作ストローク（角度）である。Ｄはノブ２ｋの動作範囲である。Ａ＋Ｂは操作取っ手２ｂの操作範囲である。【００１７】
配線用遮断器は、短絡等の異常により接点を開極（ＴＲＩＰ）させた場合には、ＲＥＳＥＴ操作をすることにより再び接点がＯＦＦ状態に戻り、再使用できる。このＲＥＳＥＴ動作はノブのＯＦＦ位置よりも大きいストロークが必要なものがある（つまり、ノブのＯＦＦ位置より反ＯＮ方向に回動させる必要がある）。このようなものを搭載しているものとしては、例えば、前記の三菱電機株式会社製遮断器等がある。この場合に操作取っ手でＲＥＳＥＴ動作をさせるためには、ＯＦＦ位置以上に操作できるストローク（つまり、操作取っ手をＯＦＦ位置より反ＯＮ方向に回動させること）が必要となるため、操作取っ手のＯＦＦ位置に前述のストッパが設けられず、配線用遮断器の動作ストローク公差により、操作取っ手が指示するＯＦＦ表示位置がずれてしまう。【００１８】
実施の形態１では、ＯＮ表示は操作取っ手に係わる機構を前述の機構とし、一方ＯＦＦ表示では、配線用遮断器ＯＦＦ時のノブと操作取っ手間のリンク機構にガタ（遊び）を設けて、配線用遮断器ＯＦＦ時の引き外し機構による駆動力が操作取っ手に加わらない設計とし、操作取っ手のＯＦＦ位置で操作取っ手の機構部に僅かな引っ掛かりを設けることで、つまり、配線用遮断器ＯＦＦ時の操作取っ手のＯＦＦ位置またはその近傍で操作取っ手を停止させるＯＦＦ位置停止機構を備えたことで、操作取っ手のＯＦＦ位置のズレを防止する。【００１９】
図１〜図５は、この発明の実施の形態１を説明するもので、図１はコントロールセンタの機能ユニットの正面図、図２は図１の側面図、図３は図１の部分拡大図、図４は図３の側面図、図５は図３の操作取っ手のリンク機構を除いた状態の一部拡大裏面図である。明細書中の各図で同一又は相当部分には同一符号を付し、説明を一部省略することがある。【００２０】
図１および図２において、コントロールセンタの機能ユニット１ａは、電源と接続される接続子１ｂを持ち、遮断器の一例としての配線用遮断器１ｃ、遮断器１ｃを含む電気回路開閉操作装置（開閉操作装置）１ｄ、電流センサ・零相変流器１ｅ、電磁開閉器１ｆ、制御回路保護ヒューズ１ｇ、制御回路用端子台１ｈ、各種シーケンスを実現するための電磁継電器１ｊ、機能ユニットから負荷へ電力を送るためのコネクタ１ｋを備えている。【００２１】
図３〜図５において、開閉操作装置１ｄは、配線用遮断器１ｃ、操作取っ手２ｂ、配線用遮断器１ｃの動作状態（ＯＮ,ＯＦＦ状態等）を表示する意匠パネル２ｃ、意匠パネル２ｃをコントロールセンタの機能ユニット１ａ内に組み込み固定する取付金具２ｄ、操作取っ手２ｂの回動により配線用遮断器１ｃのノブ２ｋを駆動するカム２ｅ、カム２ｅに連結しカム２ｅと連動して配線用遮断器１ｃのノブ２ｋを駆動するリンク機構２ｆ、リンク機構２ｆの保持と機構部を配線用遮断器１ｃへ取り付ける取付金２ｇ、意匠パネル（固定側）に設けたストッパ４ｄ、および機能ユニットのインターロック機構２ｈにより構成される。【００２２】
操作取っ手２ｂは配線用遮断器１ｃのノブ２ｋとリンク機構２ｆを介して連結され、操作取っ手２ｂを回動させてノブ２ｋを駆動させ配線用遮断器１ｃを開閉操作する。操作取っ手２ｂにはカム２ｅが軸で一体に結合され、カム２ｅに結合した偏心軸２ｎで、リンク機構２ｆと連結し、カム２ｅの回動でリンク機構２ｆがほぼ直線状に移動し、リンク機構２ｆと連結したノブ２ｋをほぼ直線状に駆動することができる。【００２３】
ストッパ４ｄは、操作取っ手２ｂをＯＮ表示位置で停止させる。つまり、ストッパ４ｄで操作取っ手２ｂを停止させる位置は、停止された位置で操作取っ手２ｂが指示する意匠パネル２ｃ上の位置が、意匠パネル２ｃのＯＮ表示位置と一致する（図５参照）。カム２ｅは、操作取っ手２ｂのＯＮ表示位置では、配線用遮断器１ｃの投入機構の駆動力によりノブ２ｋとリンク機構２ｆを介して付勢（矢印）されて、ストッパ４ｄに押し付けられ（矢印）、操作取っ手２ｂが指示する意匠パネル２ｃ上の位置が意匠パネル２ｃのＯＮ表示位置に保持される。なお、配線用遮断器１ｃは、接点部を含み、接点部の投入機構,引き外し機構、並びに、ＯＮ,ＯＦＦ,ＲＥＳＥＴ操作を行うノブ２ｋより構成される。【００２４】
実施の形態１においては、操作取っ手２ｂにより指示する位置と意匠パネル上のＯＮ表示位置のズレを防止するために、前述の通り、接点をＯＦＦからＯＮに操作する操作取っ手２ｂの動作ストロークを、配線用遮断器１ｃの接点をＯＦＦからＯＮにするノブ２ｋの動作ストロークより短く前記遮断器１ｃの投入機構のデッドポイントを越えるようにする。要するに、結果として、操作取っ手２ｂを接点のＯＦＦからＯＮ方向に回動させて、カム２ｅ，偏心軸２ｎ，リンク機構２ｆを介してノブ２ｋを駆動させ配線用遮断器１ｃの投入機構のデッドポイントを超えると、配線用遮断器１ｃの接点が閉じると共に、配線用遮断器１ｃの投入機構の駆動力によりノブ２ｋ，リンク機構２ｆ，偏心軸２ｎ，カム２ｅを介して操作取っ手２ｂを駆動して付勢させ、操作取っ手２ｂのカム２ｅをストッパ４ｄに押し付けることにより操作取っ手２ｂが意匠パネル２ｃのＯＮ状態を表示する位置に保持される。【００２５】
そのため、カム２ｅが接点のＯＮ位置７（図６）以上に回動できないが、カム２ｅには配線用遮断器１ｃの投入機構の駆動力が加わり続けるため、操作取っ手２ｂは意匠パネル上のＯＮ表示位置で保持され、操作取っ手２ｂは意匠パネル２ｃのＯＮ表示位置を精度よく指示し表示できる。
実施の形態２．【００２６】
図７および図８は、実施の形態２を説明するものであって、図７はコントロールセンタの機能ユニット内に設置された、図３に対応する他の部分拡大図、図８は図７の矢示線での断面図でカムから遮断器側は取り除いてある。図７および図８において、ＯＦＦ位置停止装置は、操作取っ手２ｂに設けられた小突起５ｃと意匠パネル２ｃに設けられた細長状の溝穴５ｄとから構成されている。【００２７】
配線用遮断器１ｃがＯＮ状態であるときに、配線用遮断器１ｃをＯＦＦさせるには、操作取っ手２ｂを接点のＯＮからＯＦＦ方向に操作して、操作取っ手２ｂとリンク機構２ｆを介して連結したノブ２ｋが、接点のＯＮからＯＦＦ方向にある一定の位置（以降、この位置をデッドポイントという。）まで駆動されると、ＯＦＦ動作完了位置までノブ２ｋが動いていなくても、配線用遮断器１ｃの引き外し機構により接点が素早く開状態になる。このとき、デッドポイントを越えた位置でノブ２ｋに外力が加わらなくとも、内部接点はＯＦＦの正規位置まで動く。またデッドポイントを越えた位置で外力による駆動力を与えなくても、引き外し機構の駆動力により配線用遮断器１ｃのノブ２ｋが動作完了位置まで駆動される。【００２８】
配線用遮断器１ｃのノブ２ｋが動作完了位置まで駆動されることにより、ノブ２ｋとリンク機構２ｆを介して連結されている操作取っ手２ｂも回動されるが、実施の形態２では、遮断器の接点をＯＮからＯＦＦにするノブの動作ストロークの公差の影響を受けないように、配線用遮断器１ｃのＯＦＦ時のノブ２ｋと操作取っ手２ｂ間のリンク機構にガタ（遊び）を設けて、配線用遮断器１ｃのＯＦＦ時の引き外し機構による駆動力が最後まで操作取っ手２ｂに加わらない設計とし、操作取っ手２ｂのＯＦＦ位置又はその近傍に操作取っ手２ｂの機構部に僅かな引っ掛かりを設ける。【００２９】
つまり、操作取っ手２ｂのＯＦＦ位置又はその近傍に操作取っ手２ｂに小突起５ｃが設けられ、且つ意匠パネル２ｃに溝穴５ｄが設けられていると、操作取っ手２ｂが意匠パネル２ｃのＯＦＦ表示位置を指示するところまで操作されるときに、小突起５ｃが溝穴５ｄ内に嵌って、その結果、操作取っ手２ｂがＯＦＦ表示位置で停止される。小突起と溝穴は逆の関係で、小突起を意匠パネル２ｃ側に、溝穴を操作取っ手２ｂ側に設けてもよい。【００３０】
このように、配線用遮断器１ｃの接点をＯＦＦにするときの引き外し機構による駆動力が、ノブ２ｋからリンク機構２ｆを介して操作取っ手２ｂに最後まで加わらない設計として、遮断器の接点をＯＮからＯＦＦにするノブの動作ストロークの公差の影響を受けないようにし、操作取っ手２ｂが意匠パネル２ｃのＯＦＦ状態を表示する位置又はその近傍にＯＦＦ位置停止機構で停止させることができ、操作取っ手２ｂが指示する意匠パネル２ｃのＯＦＦ表示位置のズレを防止することができる。なお、実施の形態２は実施の形態１に付加して実施することができる。【００３１】
以上、この発明を実施の形態１,２により詳細に説明したが、この発明はそれらの実施の形態に限定されるものではなく、この発明が解決しようとする課題並びに解決手段の精神に則った各種の変型形態をも包含する。例えば配線用遮断装置は、コントロールセンタの機能ユニット以外の個所に搭載された配線用遮断装置であってもよく、操作取っ手としても、図３や図７に示す形状以外の形状のものであってもよい。
【図１】
2009139036.tif 000003
【図２】
2009139036.tif 000004
【図３】
2009139036.tif 000005
【図４】
2009139036.tif 000006
【図５】
2009139036.tif 000007
【図６】
2009139036.tif 000008
【図７】
2009139036.tif 000009
【図８】
2009139036.tif 000010
【図９】
2009139036.tif 000011
【図１０】
2009139036.tif 000012
【国際調査報告】
2009139036.tif 000013
2009139036.tif 000014
2009139036.tif 000015
2009139036.tif 000016